(57)【要約】【課題】２種類の発光部材を容易に区別して、発光部材の発光信号が記録媒体供給動作中を示すものか、記録媒体詰まり箇所を示すものかを容易に判別できるものとする。【解決手段】  給紙トレイ１３１に第１発光部材２２１を、搬送経路に詰まった記録媒体を取り出すために開く給紙部開閉扉１２１に第２発光部材として引出発光部材２１１を配置する。第１発光部材は、記録媒体の補充ができないとき青色で点灯し、第２発光部材は、発光制御手段３１０で詰まった記録媒体を取り出すために操作する必要があるとき赤色で点滅する。【選択図】図１
2014238566.tif 000002
【特許請求の範囲】
【請求項１】
記録媒体が設置された記録媒体設置部の外表面に配置され、該記録媒体設置部から記録媒体が搬送されているときに発光する第１発光部材と、
装置本体から紙詰まりの前記記録媒体を除去するに際して操作する操作部材または前記操作部材の近傍に配置された第２発光部材と、
前記装置本体に残存する前記記録媒体の有無を検知する残存記録媒体検知手段と、
を備える画像形成装置において、
前記第２発光部材は、前記残存記録媒体検知手段の検知結果に基づき前記操作部材の操作が必要なとき発光するものであり、
かつ、
前記第１発光部材と前記第２発光部材とは異なる発光をすることを特徴とする画像形成装置。
【請求項２】
前記第１発光部材と、前記第２発光部材の発光色が異なることを特徴とする請求項１に記載の画像形成装置。
【請求項３】
前記第１発光部材の発光色が波長領域４６０ｎｍ〜４８０ｎｍであり、前記第２発光部材の発光色が波長領域６１０ｎｍ〜６３０ｎｍであることを特徴とする請求項１または請求項２に記載の画像形成装置。
【請求項４】
前記第１発光部材と前記第２発光部材の発光周期を異ならせることを特徴とする請求項１ないし請求項３のいずれか一項に記載の画像形成装置。
【請求項５】
前記第１発光部材を連続点灯させ、前記第２発光部材を点滅させることを特徴とする請求項１ないし請求項４のいずれか一項に記載の画像形成装置。
【請求項６】
前記第１発光部材の発光する部位の設置面における平面形状と、前記第２発光部材の発光する部位の設置面における平面形状を異ならせることを特徴とする請求項１ないし請求項５のいずれか一項に記載の画像形成装置。
【請求項７】
前記第１発光部材の発光する部位を設置面より内側に配置し、前記第２発光部材の発光する部位を設置面より外側に突出して配置したことを特徴とする請求項１ないし請求項６のいずれか一項に記載の画像形成装置。
【請求項８】
前記第１発光部材および前記第２発光部材の発光部は周囲を枠状部材で囲って設置面に取付け、前記枠状部材の形状を前記第１発光部材と前記第２発光部材とで異ならせたことを特徴とする請求項１ないし請求項７のいずれか一項に記載の画像形成装置。
【請求項９】
操作手順が連続する複数の前記操作部材を備え、
一つの前記第２発光部材を前記複数の操作部材に対応させて前記複数の操作部材のうち、操作手順が後になる操作部材よりも操作手順が先である操作部材に近接して配置し、
前記第２発光部材を、各操作部材の操作が完了するまで発光させ、各操作部材の操作が完了したとき消灯させることを特徴とする請求項１ないし請求項８のいずれか一項に記載の画像形成装置。
【請求項１０】
前記第１の操作部材が設けられた可動部材と、
前記可動部材を開放して表れる、第１の操作部材の次に操作する第２の操作部材と、
を備え、
前記第２発光部材を、前記可動部材の第１の操作部材または、前記第１の操作部材の近傍に配置し、
前記第２発光部材の近傍に前記第２の操作部材を示す標記を付したことを特徴とする請求項１ないし請求項９のいずれか一項に記載の画像形成装置。
【請求項１１】
前記第１発光部材の配置位置に前記第１発光部材からの光を透過する透明部を備える表面部材、または前記第１発光部材が視認できない不透明な素材で形成した表面部材を設置することを特徴とする請求項１ないし請求項１０のいずれか一項に記載の画像形成装置。
【請求項１２】
前記記録媒体設置部は、前記装置本体から引き出した状態で前記記録媒体を補給するものであり、
前記第１発光部材を発光素子と、入射された前記発光素子の光を導いて射出部から射出す導光部材とで構成し、
前記導光部材を前記記録媒体設置部に配置し、前記発光素子を前記装置本体に配置し、前記記録媒体設置部を前記装置本体に格納した状態で前記発光素子からの光を前記導光部材の射出部から射出する位置に配置し、
前記装置本体から前記記録媒体設置部の引き出し動作に連動して前記発光素子を覆い前記発光素子からの光を減らす光量低減部材を備えたことを特徴とする請求項１ないし請求項１１のいずれか一項に記載の画像形成装置。
【請求項１３】
前記記録媒体を取り出す際に前記操作部材で操作される可動部材のそれぞれの状態を検知する可動部材開閉検知手段と、
前記可動部材開閉検知手段が検知しうる各可動部材の状態の組み合わせの各状態において、前記残存記録媒体検知手段が検知しうるそれぞれの残存箇所から前記記録媒体を取り出すために必要となる前記操作部材の操作手順を定めた操作手順データを格納した記憶手段と、
前記残存記録媒体検知手段の検知結果と前記可動部材開閉検知手段の検知結果とに基づいて、前記操作手順データを参照して、前記搬送装置中に残留した前記記録媒体の取り出しに必要となる前記操作部材の操作手順を決定する操作手順決定手段と、を備え、
決定された前記操作手順に基づいて前記第２発光部材を順次点滅させることを特徴とする請求項１ないし請求項１２のいずれか一項に記載の画像形成装置。
【請求項１４】
画像形成装置に取付けられ、前記画像形成装置に記録媒体を供給する記録媒体供給装置において、
前記画像形成装置に搬送される記録媒体が設置された供給装置記録媒体設置部の外表面に配置され、該供給装置記録媒体設置部から記録媒体が搬送されているときに発光する第３発光部材と、
記録媒体供給装置本体から紙詰まりの前記記録媒体を除去するに際して操作する供給装置操作部材または前記供給装置操作部材の近傍に配置された第４発光部材と、
前記記録媒体供給装置本体に残存する前記記録媒体の有無を検知する供給装置残存記録媒体検知手段と、
を備え、
前記第４発光部材は、前記供給装置残存記録媒体検知手段の検知結果に基づき前記供給装置操作部材の操作が必要なとき発光するものであり、
かつ、
前記第３発光部材と前記第４発光部材とは異なる発光をすることを特徴とする記録媒体供給装置。
【請求項１５】
記録媒体に画像を形成する画像形成装置と、この画像形成装置に取付けられ前記画像形成装置に記録媒体を供給する記録媒体供給装置とを備える画像形成システムであって、
前記画像形成装置は、
記録媒体が設置された記録媒体設置部の外表面に配置され、該記録媒体設置部から記録媒体が搬送されているときに発光する第１発光部材と、
装置本体から紙詰まりの前記記録媒体を除去するに際して操作する操作部材または前記操作部材の近傍に配置された第２発光部材と、
前記装置本体に残存する前記記録媒体の有無を検知する残存記録媒体検知手段と、
を備え、
前記第２発光部材は、前記残存記録媒体検知手段の検知結果に基づき前記操作部材の操作が必要なとき発光するものであり、
かつ、
前記第１発光部材と前記第２発光部材とは異なる発光をするものであり、
前記録媒体供給装置は、
前記画像形成装置に搬送される前記記録媒体が設置された供給装置記録媒体設置部の外表面に配置され、該供給装置記録媒体設置部から記録媒体が搬送されているときに発光する第３発光部材と、
記録媒体供給装置本体から紙詰まりの前記記録媒体を除去するに際して操作する供給装置操作部材または前記供給装置操作部材の近傍に配置された第４発光部材と、
前記記録媒体供給装置本体に残存する前記記録媒体の有無を検知する供給装置残存記録媒体検知手段と、
を備え、
前記第４発光部材は、前記残存記録媒体検知手段または前記供給装置残存記録媒体検知手段の検知結果に基づき前記供給装置操作部材の操作が必要なとき発光するものであり、
かつ、
前記第３発光部材と前記第４発光部材とは異なる発光をする、
ことを特徴とする画像形成システム。
【発明の詳細な説明】
【技術分野】
【０００１】
本発明は、記録媒体設置部から記録媒体が搬送されているときに発光する第１発光部材と、装置本体から記録媒体を除去するに際して操作する操作部材を示す第２発光部材と、を備える画像形成装置、記録媒体供給装置、および画像形成システムに関する。
【背景技術】
【０００２】
例えば電子写真方式の画像形成装置では、記録用紙等の記録媒体を格納した記録媒体トレイ等の記録媒体設置部から、搬送装置で記録媒体を搬送して、画像形成部でトナー像を転写し、定着装置でトナー像を記録媒体に定着して画像形成を行う。また、画像形成がされた記録媒体には後処理として、とじ処理、折りたたみ処理等が施される場合がある。この後処理装置は、装置本体とは別装置のオプション装置として設置される。さらに、記録媒体トレイが画像形成装置の装置本体内部に設置される場合の他、装置本体に別装置のオプション装置として接続された大容量の記録媒体を格納した記録媒体供給装置（大容量記録媒体補給装置：ＬＣＴ）が設置される場合がある。このように画像形成装置に記録媒体供給装置や後処理装置を配置されることにより画像形成システムが構成される。
【０００３】
このような画像形成装置には、記録媒体サイズ別に記録媒体トレイが複数設置され、記録媒体を供給してない給紙トレイから記録媒体を補充して、印刷を停止せずに継続できるものがある。このような画像形成装置は、連続して大量の印刷処理を行う用途に使用される。そして、そして、この画像形成装置では、記録媒体トレイの開閉部外側において、記録媒体が搬送中であること、すなわち記録媒体トレイを開くことが禁止されていることを発光部材で発光表示することが行われる。この発光表示により、記録媒体搬送中の記録媒体トレイを誤って引き出すことを防止できる。
【０００４】
一方、画像形成装置では、画像形成装置本体内の搬送装置のさまざまな箇所で搬送異常に起因する記録媒体の詰まりが発生する。この記録媒体の詰まりは、特に定着装置で発生しやすい。記録媒体の詰まりが発生した場合、当該記録媒体を画像形成装置の外部に取り出す必要がある。従来、記録媒体の詰まった箇所を外部から認識できるようにするため、画像形成装置の操作パネルの表示部に記録媒体が詰まった箇所を表示する技術がある。
【０００５】
特許文献１には、記録紙がレジストセンサーに未到達、すなわちジャムを起こした場合、ジャム発生時の機内残紙の枚数を場所ごとに記憶する記憶手段の記憶情報に基づいて、残紙位置に対応するドアを判断、表示し、かつ機内から正常に排出されていない記録紙の紙位置情報の有無によりジャム処理後の残紙が存在するか否かを判断、表示する画像形成装置が記載されている。
【発明の概要】
【発明が解決しようとする課題】
【０００６】
しかし、上述した記録用紙を供給動作中の用紙トレイを開閉部の外側で発光させる画像形成装置において、装置本体の開閉部の外側で紙詰まり箇所を表示する発光を行おうとすると、記録用紙供給動作中、すなわち「開けてはいけない箇所」なのか、記録用紙詰まり箇所すなわち「開けるべき箇所」なのかが区別しにくくなる。
【０００７】
本発明は上述の点にかんがみてなされたものであり、２種類の発光部材を容易に区別して、発光部材の発光信号が記録媒体供給動作中を示すものか、記録媒体詰まり箇所を示すものかを容易に判別できる画像形成装置を提供することを目的とする。
【課題を解決するための手段】
【０００８】
本発明に係る画像形成装置は、記録媒体が設置された記録媒体設置部の外表面に配置され、該記録媒体設置部から記録媒体が搬送されているときに発光する第１発光部材と、装置本体から紙詰まりの前記記録媒体を除去するに際して操作する操作部材または前記操作部材の近傍に配置された第２発光部材と、前記装置本体に残存する前記記録媒体の有無を検知する残存記録媒体検知手段と、を備える画像形成装置において、前記第２発光部材は、前記残存記録媒体検知手段の検知結果に基づき前記操作部材の操作が必要なとき発光するものであり、かつ、前記第１発光部材と前記第２発光部材とは異なる発光をすることを特徴とする。
【発明の効果】
【０００９】
本発明によれば、画像形成装置における第１発光部材と第２発光部材とを混同することなく容易に判別することができ誤操作を防止することができる。
【図面の簡単な説明】
【００１０】
【図１】本発明が適用される画像形成装置の外観を示す斜視図である。
【図２】同画像形成装置の画像形成部を示す模式図である。
【図３】同画像形成装置の記録媒体搬送経路を示す模式図である。
【図４】同画像形成装置の記録媒体収納部開閉扉を開いた状態を示す斜視図である。
【図５】同画像形成装置の引出ユニットを示すものであり、（ａ）は引出ユニットを引き出した状態を示す斜視図、（ｂ）は同じく他の方向からの斜視図、（ｃ）は引出ユニットの扉部を開いた状態を示す斜視図である。
【図６】本発明の実施形態１に係る画像形成装置の発光制御系を示すブロック図である。
【図７】本発明の実施形態２に係る画像形成装置の発光制御系を示すブロック図である。
【図８】同画像形成装置の記録媒体収納部開閉扉と給紙トレイとを示すものであり、（ａ）は画像形成装置の斜視図、（ｂ）は（ａ）の拡大斜視図である。
【図９】発光部材の表面側に配置する表面部材を示すものであり、（ａ）は第１発光部材を使用する場合、（ｂ）は第１発光部材を使用しない場合を示す斜視図である。
【図１０】同画像形成装置の給紙トレイを引き出した状態を示す斜視図である。
【図１１】発光部材の構成例を示す一部断面を含む斜視図である。
【図１２】一つの発光部材で複数の操作部材を指定する例を示す斜視図である。
【図１３】本発明の実施形態に係る画像形成システムの外観を示す斜視図である。
【図１４】同画像形成システムにおける大容量用紙供給装置の開閉扉を開いた状態を示す斜視図である。
【図１５】同画像形成システムにおける大容量記録媒体供給装置の拡大斜視図である。
【発明を実施するための形態】
【００１１】
本発明を実施するための形態に係る画像形成装置について説明する。本発明に係る画像形成装置には、記録媒体設置部の外表面に配置され、記録媒体が搬送されているときに発光する第１発光部材と、画像形成装置本体内で詰まった記録媒体を除去するに際して操作する操作部材を示す第２発光部材とを備える。第２発光部材は、操作部材または操作部材の近傍に配置される。そして、画像形成装置本体に残存する記録媒体を検知する残存記録媒体検知手段を備え、第２発光部材が残存記録媒体検知手段の検知結果に基づき操作部材の操作が必要なとき発光するものであり、かつ、第１発光部材と前記第２発光部材とは異なる状態で発光するものである。
【００１２】
＜画像形成装置の基本構成＞
まず、画像形成装置の全体構造について説明する。図１は本発明に係る画像形成装置の実施形態に係る画像形成装置を示す斜視図である。この画像形成装置１００は、イエロー、マゼンタ、シアン、ブラックの４色のトナー像を原稿に定着させてカラー画像形成を行うタンデム型のカラー複写機である。画像形成装置１００は、装置本体１０１に原稿を光学的に読み取る原稿読取部１１０、記録用紙等の記録媒体に電子写真方式で画像を形成する画像形成部１２０、記録媒体をサイズ別に格納する記録媒体収納部１３０を備える。
【００１３】
また、画像形成装置１００は、画像形成装置の操作指示を行う操作部１５０を備える。操作部１５０は、画像形成装置１００の原稿読取部１１０の操作者立ち位置側（手前側）側上面に幅方向（左右方向）に沿って配置される。操作部１５０には、タッチ部材１５１、操作ボタン１５２等が配置される。なお、図１中に手前側をＦ、奥側をＢ、右側をＲ、左側をＬで示した。
【００１４】
原稿読取部１１０の上面には、原稿読取面としてコンタクトガラス１１１、枠材１１２が配置される。原稿読取部１１０の上側には、原稿をコンタクトガラス１１１に押し付ける押圧板や、自動原稿搬送装置（ＡＤＦ）が配置される（ともに図示していない）。
【００１５】
図２は画像形成装置の画像形成部を示す模式図である。画像形成部１２０は、４つの作像ユニット１８Ｙ、１８Ｃ、１８Ｍ、１８Ｋを備える。各作像ユニット１８Ｙ、１８Ｃ、１８Ｍ、１８Ｋは、露光装置で感光された４つの感光体ドラム４０Ｙ、４０Ｍ、４０Ｃ、４０Ｋの潜像をイエロー、マゼンタ、シアン、ブラックの現像装置６１Ｙ、６１Ｍ、６１Ｃ、６１Ｋで現像し、各感光体ドラム４０Ｙ、４０Ｍ、４０Ｃ、４０Ｋにトナー像を形成する。そして、各感光体ドラム４０Ｙ、４０Ｍ、４０Ｃ、４０Ｋに形成されたトナー像は中間転写体１０に転写される。ついで、二次転写部１４０において、中間転写体１０に転写されたフルカラートナー像が記録媒体に二次転写される。
【００１６】
二次転写部１４０は、転写ローラ２１、搬送ベルト２２、中間転写体１０のクリーニング装置１７等を備え、記録媒体搬送経路を形成し、画像形成部１２０の一部を構成する。また、画像形成部１２０には、定着装置１６０が配置されている。なお、図中符号６２Ｙ、６２Ｃ、６２Ｍ、６２Ｋは二次転写ローラー、符号６３Ｙ、６３Ｃ、６３Ｍ、６３Ｋは感光体ドラム４０Ｙ、４０Ｍ、４０Ｃ、４０Ｋの残留トナーを除去するクリーニング装置、符号４９は搬送されてきた記録媒体を位置決めして送り出すレジストローラを示している。
【００１７】
また、これら作像ユニット１８Ｙ、１８Ｃ、１８Ｍ、１８Ｋを構成する部分の全部または一部でプロセスカートリッジユニットを形成し、画像形成装置１００に対して一括して引出自在としてメンテナンス性を向上させている。
【００１８】
感光体ドラム４０Ｙ、４０Ｍ、４０Ｃ、４０Ｋの回転とともに、まず帯電装置で感光体ドラム４０Ｙ、４０Ｍ、４０Ｃ、４０Ｋの表面を一様に帯電し、次いで画像データに応じて図示しない露光装置からレーザやＬＥＤ等による書き込み光を照射して感光体ドラム４０Ｙ、４０Ｍ、４０Ｃ、４０Ｋ上に静電潜像を形成する。
【００１９】
その後、各感光体ドラム４０Ｙ、４０Ｍ、４０Ｃに現像装置６１Ｙ、６１Ｍ、６１Ｃ、６１Ｋによりトナーを付着してその静電潜像を可視像化し、その可視像を一次転写装置で中間転写体１０上に転写する。画像転写後の感光体ドラム４０Ｙ、４０Ｍ、４０Ｃの表面は、クリーニング装置６３Ｙ、６３Ｃ、６３Ｍ、６３Ｋで残留トナーを除去して清掃し、除電装置で除電して再度の画像形成に備える。ここで、画像形成部の一部を構成する記録媒体搬送経路は、二次転写部１４０の転写ローラ２１から定着装置１６０の搬送ベルト２２を含む搬送経路である。
【００２０】
図３は同画像形成装置の記録媒体搬送経路を示す模式図である。記録媒体収納部１３０の給紙トレイ１３１、１３２、１３３、１３４に格納された記録媒体は、記録媒体搬送装置で搬送され、画像形成部１２０において画像が形成され、定着装置１６０において定着されて排出される。片面印刷の場合は、記録媒体は、記録媒体搬送装置によって１枚ずつ画像形成部１２０に搬送され（図中経路ａ）、トナー像形成処理、定着処理がなされ（同経路ｂ）、図示されていない排紙トレイに排出される（経路ｃ）。また、両面印刷を行う場合には、片面を印刷した記録媒体を、反転装置で反転する。この場合、反転装置は、記録媒体を記録媒体収納部１３０に隣接したパージ部１３５に移動させ（経路ｄ、ｅ）、記録媒体の搬送方向を変更して反転を行う（経路ｆ）。なお、手差し給紙の場合には、図示していない手差しトレイから記録媒体を挿入する（経路ｇ）。
【００２１】
給紙トレイ１３１には所定サイズの記録媒体の束（記録媒体束）を格納している。給紙トレイ１３１は手前側に引き出し可能に形成され、その前面には前側パネル１３１ａが配置されている。前側パネル１３１ａは、全体が鉛直方向に平面に沿って配置され、給紙トレイ１３１の引き出し、押し込みを行う取手部１３１ｂが配置されている。この取手部１３１ｂは、操作者が手指を掛けることができる挿入隙間を備える帯状部材として構成される。他の給紙トレイ１３２、１３３、１３４も同様に前側パネル１３２ａ、１３３ａ、１３４ａ、取手部１３２ｂ、１３３ｂ、１３４ｂを備える。また、給紙トレイ１３１、１３２、１３３、１３４には、記録媒体が搬送中かどうかを検知するセンサーとして給紙搬送検知手段３２０（図６参照）を備える。
【００２２】
各給紙トレイ１３１、１３２、１３３、１３４の前側パネル１３１ａ、１３２ａ、１３３ａ、１３４ａの右側端部には、給紙搬送検知手段３２０の検出結果に基づいて記録媒体の補充動作ができないことを外部に示す第１発光部材２２１、２２２、２２３、２２４が配置されている。
【００２３】
次に画像形成装置１００の可動部材および操作部材について説明する。図４は同画像形成装置の記録媒体収納部開閉扉を開いた状態を示す斜視図である。画像形成装置１００には、内部で詰まった記録媒体を機外に取り出すため、扉、引出等で構成される複数の可動部材を備える。画像形成部１２０には、手差し給紙部開閉扉１２１を、記録媒体収納部１３０の縦搬送路には記録媒体収納部開閉扉１３７を、反転装置のパージ部１３５には、パージ部開閉扉１３６を備える。さらに、画像形成装置１００には、トナー交換用開閉扉１２３を備える。なお、トナー交換用開閉扉１２３の裏側には、イエロートナー、マゼンタトナー、シアントナー、ブラックトナーを収納したトナー容器が配置されている。そして、手差し給紙部開閉扉１２１、パージ部開閉扉１３６、記録媒体収納部開閉扉１３７には、操作部材として取手部１２１ａ、取手部１３６ａ、取手部１３７ａが配置される。
【００２４】
また、画像形成部１２０のうち二次転写部１４０と、定着装置１６０とは、画像形成装置１００の装置本体１０１から手前側に引き出し可能な可動部材としての引出ユニット１７０が配置されている。、図５は同画像形成装置の引出ユニットを示すものであり、（ａ）は引出ユニットを引き出した状態を示す斜視図、（ｂ）は同じく他の方向からの斜視図、（ｃ）は引出ユニットの扉部を開いた状態を示す斜視図である。図５（ａ）に示すように、引出ユニット１７０は、レール１２２に沿って装置本体１０１から引き出される。引出ユニット１７０には、可動部材として前板部１７１が配置される。
【００２５】
また、引出ユニット１７０の前板部１７１は、前側パネル１３１ａ、１３２ａ、１３３ａ、１３４ａより手前側に突出形成されている。ここで、前板部１７１は、下方に向けて奥側に傾斜させており、引出ユニット１７０の外表面をなす前板部１７１には、引出ユニット１７０の引き出し操作、押し込みを行うための操作部材である引出操作部１７２が形成されている。また、図５（ｂ）、（ｃ）に示すように、引出ユニット１７０には、可動部材として定着装置１６０の側方から記録媒体を取り出すための側方扉１７３、二次転写部１４０の下方から記録媒体を取り出すための可動部材として下方扉１７４が配置されている。側方扉１７３、下方扉１７４には、操作部材として取手部（図示していない）が設置されている。
【００２６】
各操作部材または各操作部材の近傍には、第２発光部材が配置される。すなわち、引出ユニット１７０の引出操作部１７２の近傍に引出発光部材２１１を、手差し給紙部開閉扉１２１の取手部１２１ａの近傍には手差し給紙用扉発光部材２１２を、パージ部開閉扉１３６の取手部１３６ａの近傍にはパージ部扉発光部材２１３を、記録媒体収納部開閉扉１３７の取手部１３７ａの近傍には記録媒体収納部扉発光部材２１４を配置する。
【００２７】
＜実施形態１＞
以下実施形態１に係る画像形成装置１００について説明する。実施形態１では、上述した構成の画像形成装置１００の構造を前提として第１発光部材および第２発光部材の発光制御を以下のように行う。図６は本発明の実施形態１に係る画像形成装置の発光制御系を示すブロック図である。発光制御系は、第１発光部材２２１および第２発光部材である引出発光部材２１１を駆動制御する発光制御手段３１０と、給紙搬送検知手段３２０と残存記録媒体検知手段３３０と、可動部材開閉検知手段３６０とを備える。
【００２８】
発光制御手段３１０は、給紙搬送検知手段３２０、可動部材開閉検知手段３６０および残存記録媒体検知手段３３０の検知結果に基づいて、第１発光部材２２１および引出発光部材２１１の発光を制御する。
【００２９】
給紙搬送検知手段３２０は、給紙トレイ１３１の給紙状態を検出する。可動部材開閉検知手段３６０は、可動部材である引出ユニット１７０の開閉状態を検知する。残存記録媒体検知手段３３０は、画像形成装置１００内に記録媒体が残存すること、すなわちどの位置で記録媒体がジャム（紙詰まり）状態であるかを検知する。
【００３０】
発光制御手段３１０は、給紙搬送検知手段３２０が給紙搬送を検出しているとき第１発光部材２２１を発光させ、給紙搬送を検出しないとき第１発光部材２２１を発光させない。また、残存記録媒体検知手段３３０が引出ユニット１７０内に記録媒体が残存していることを検知したとき、引出ユニット１７０を操作する引出操作部１７２を指定する引出発光部材２１１を発光させる。この引出発光部材２１１を発光させることにより、記録媒体を取り出すために操作する操作部材である引出操作部１７２を指定する。
【００３１】
本実施形態では、第１発光部材２２１と引出発光部材２１１とはユーザが容易に識別できる異なる態様で発光する。例えば、第１発光部材２２１は、波長領域４６０ｎｍ〜４８０ｎｍ（青色）で発光し、引出発光部材２１１は、第１発光部材２２１とは異なる波長領域６１０ｎｍ〜６３０ｎｍ（赤色）で発光する。これにより、使用者は、たとえ第１発光部材２２１と引出発光部材２１１の発光量が少なくとも、両者を明確に区別でき、給紙トレイ１３１と引出ユニット１７０の操作を誤ることがない。
【００３２】
第１発光部材２２１および第２発光部材である引出発光部材２１１は、ＬＥＤ発光素子等の光源と透明合成樹脂等で形成した導光部材とを組み合わせた構造である。導光部材は、一方面に入射面を、他方面に発光面を備える。
【００３３】
第１発光部材と、第２発光部材との発光を異ならせる態様として上述のように発光色を異ならせる他、発光制御手段３１０が第１発光部材２２１と引出発光部材２１１の発光周期を異ならせることができる。例えば第１発光部材２２１を連続発光させ、引出発光部材２１１を点滅させることができる。
【００３４】
なお、給紙トレイ１３１に配置した第１発光部材２２１の他、他の給紙トレイ１３２、１３３、１３４に配置した第１発光部材２２１、２２２、２２３、２２４を同様に発光制御することができる。また、第２発光部材として引出発光部材２１１の他、他の第２発光部材である手差し給紙用扉発光部材２１２、パージ部扉発光部材２１３、記録媒体収納部扉発光部材２１４等を同様に発光制御することができる。
【００３５】
以上のように実施形態１に係る画像形成装置１００によれば、記録媒体収納部に配置される第１発光部材と、ジャム状態となった記録媒体を取り出すための操作部材を示す第２発光部材とを混同することなく容易に判別することができる。これにより、「開けなければいけない箇所」を開けずに、「開けてはいけない箇所」を開けてしまうという誤操作を防止することができる。
【００３６】
＜実施形態２＞
次に本発明の実施形態２に係る画像形成装置について説明する。上述のように、画像形成装置１００では、記録媒体の紙詰まりが発生することがあり、この紙詰まりは、定着装置１６０で発生しやすい。ここで、定着装置１６０は引出ユニット１７０に配置されているため、記録媒体を定着装置１６０から取り出すためには、引出ユニット１７０を引き出す必要がある。しかし、画像形成装置１００が高速で動作するものであると、画像形成装置１００が紙詰まりのため停止している状態であっても、記録媒体収納部１３０から次々に搬送された記録媒体が図３で示した経路ａ、経路ｂ、経路ｄ、経路ｅに配置されていることがある。このような状態で、引出ユニット１７０を引き出すと、各経路に存在する記録媒体を装置内部で引き裂いてしまう。
【００３７】
すなわち、画像形成装置１００には、引出ユニット１７０が引き出されたとき、記録媒体の搬送経路が分断される分断箇所がある（図２中符号「Ｉ」、「II」、「III」、「IV」で示した）。この分断箇所に記録媒体が存在している状態で、引出ユニット１７０を引き出すと、記録媒体が画像形成装置１００の装置本体１０１と、引出ユニット１７０との間で引き裂かれてしまうのである。
【００３８】
このため、画像形成装置１００では、記録媒体を取り出すために開く可動部材の操作部を記録媒体の取出順序に従って第２発光部材を発光させる。第２発光部材としては、引出ユニット１７０の引出操作部１７２の上側に配置した引出発光部材２１１、手差し給紙部開閉扉１２１の取手部１２１ａの近傍に配置した給紙用扉発光部材２１２、パージ部開閉扉１３６の取手部１３６ａ近傍に配置したパージ部扉発光部材２１３、記録媒体収納部開閉扉１３７の取手部１２１ａに配置した記録媒体収納部扉発光部材２１４がある。
【００３９】
これらの第２発光部材は、ＬＥＤ発光素子を備え、第１発光部材とは異なる波長領域６１０ｎｍ〜６３０ｎｍ（赤色）で発光する。第１発光部材２２１、２２２、２２３、２２４は実施形態１と同一の位置に配置され、青色に発光する。
【００４０】
図７は本発明の実施形態２に係る画像形成装置の発光制御系を示すブロック図である。第１発光部材２２１、２２２、２２３、２２４および第２発光部材である引出発光部材２１１、手差し給紙用扉発光部材２１２、パージ部扉発光部材２１３、記録媒体収納部扉発光部材２１４等は、発光制御系で発光が制御される。この発光制御系には、発光制御手段３１０、給紙搬送検知手段３２０、残存記録媒体検知手段３３０、操作手順決定手段３４０、記憶手段３５０、可動部材開閉検知手段３６０、および残存記録媒体検知手段３３０を備える。
【００４１】
第２発光部材は、上述した箇所の他、引出ユニット１７０内の側方扉１７３および下方扉１７４（図４（Ｃ）参照）、その他記録媒体の取り出し時に動かす必要がある可動部材の操作部またはその近傍に配置される。この操作部材としては、開閉扉の解除レバー、搬送ガイド板の取手、紙送りボタン、紙送りノブ等が挙げられる。
【００４２】
第１発光部材２２１、２２２、２２３、２２４と、第２発光部材である引出発光部材２１１、手差し給紙用扉発光部材２１２、パージ部扉発光部材２１３、記録媒体収納部扉発光部材２１４とは発光制御手段３１０に接続され制御されている。
【００４３】
可動部材開閉検知手段３６０は、操作部材で操作される可動部材のそれぞれの開閉状態を検知する。すなわち、手差し給紙部開閉扉１２１、パージ部開閉扉１３６、記録媒体収納部開閉扉１３７、引出ユニット１７０等の可動部材の開閉状態を検知する。残存記録媒体検知手段３３０は、記録媒体の残存箇所を検知する。これらの検知手段は、マイクロスイッチ、光センサー等により構成される。
【００４４】
記憶手段３５０は、可動部材開閉検知手段３６０が検知しうるそれぞれの操作部材の操作状態の組み合わせの各状態において、残存記録媒体検知手段３３０が検知しうるそれぞれの残存箇所から記録媒体を取り出すために必要となる各操作部材の操作手順を定めた操作手順データを格納している。すなわち、記憶手段３５０は、記録媒体が残存している状態で、この記録媒体を取り出すための操作対象となる操作部材を操作すべき順序を、記録媒体の残存場所および可動部材の開閉状体の複数の組み合わせごとに格納している。
【００４５】
操作手順決定手段３４０は、残存記録媒体検知手段３３０の検知結果と可動部材開閉検知手段３６０の検知結果とに基づいて、操作手順データを参照して、実際に搬送装置中に残留している記録媒体の取り出しに必要となる操作部材の操作手順を決定する。
【００４６】
発光制御手段３１０は、操作手順決定手段３４０の決定した順序に従って、第２発光体を点滅させていく。この点滅は、一つの操作部材を操作するたびに次に操作すべき操作部材を指定するように行われる。
【００４７】
第２発光部材の点滅順序について具体的に説明する。以下、画像形成装置１００の記録媒体収納部１３０の縦搬送路（記録媒体収納部開閉扉１３７の内部）に記録媒体が詰まった場合について説明する。この場合、まず記録媒体収納部扉発光部材２１４が点滅する。記録媒体収納部開閉扉１３７を開いて記録媒体を記録媒体収納部１３０の縦搬送路から取り除いて記録媒体収納部開閉扉１３７を閉じると記録媒体収納部扉発光部材２１４が消灯する。これにより、記録媒体の取り出し処理は終了する。
【００４８】
このような処理は、パージ部１３５や、引出ユニット１７０内の定着装置１６０に記録媒体の詰まりが発生した場合にも行われる。このよう場合、図２中符号「Ｉ」、「II」、「III」、「IV」で示した分断箇所に記録媒体が配置されていることがある。このとき、操作手順決定手段３４０は、この分断箇所に残存している記録媒体を引き裂くことなく取り出すために必要な操作部材の操作順序に対応する第２発光手段の点滅順序を記憶手段３５０から読み出す。発光制御手段３１０は、この読み出した順序に従って、各可動部材の操作部材を指定する第２発光手段を順次点滅させていく。
【００４９】
なお、発光制御手段３１０は、発光色制御部としても動作させ、各発光部材の発光制御を行うことができる。すなわち、発光制御手段３１０は、第１発光部材の発光色を青、第２発光部材の発光色を赤とするように設定することができる。この場合、第１発光部材および第２発光部材は、同一仕様の変色可能なＬＥＤ発光素子を備える。そして、発光制御手段３１０でＬＥＤ発光素子を駆動する発光信号を変更することにより発光色を設定する。この場合、ＬＥＤ発光素子を単一の種類として、部品費を低減できる。また画像形成装置１００の使用者も発光部材の配色を自由に変更できる。なお、ＬＥＤ発光素子に代え、他の発光素子を使用することができる。
【００５０】
さらに、発光制御手段３１０は、発光タイミング制御部としても動作させることができる。この場合、発光制御手段３１０は、第１発光部材２２１、２２２、２２３、２２４を連続点灯させる。一方、発光制御手段３１０は、引出発光部材２１１、手差し給紙用扉発光部材２１２、パージ部扉発光部材２１３、記録媒体収納部扉発光部材２１４等の第２発光部材を点灯、消灯を所定の周期で点滅させる。発光色を異なるようにしたのと相まって、両者の区別を明確に行うことができる。
【００５１】
また、第１発光部材２２１、２２２、２２３、２２４と第２発光部材の発光周期が異なるので、色覚障害の使用者など発光色で区別できない場合でも、見た目で区別しやすいものとできる。さらに、静的な点灯は正常（記録媒体搬送中）であり「開けてはいけない箇所」、動的な点滅は異常（記録媒体詰まり）であり「開けるべき箇所」と想起しやすいという効果がある。この発光周期は任意に変更できる。
【００５２】
次に第１発光部材２２１、２２２、２２３、２２４と、各第２発光部材の構成について説明する。上述のように、実施形態に係る画像形成装置１００では、第１発光部材および第２発光部材とも、ＬＥＤ発光素子と、導光部材とを組み合わせて構成している。図８は同画像形成装置の記録媒体収納部開閉扉と給紙トレイとを示すものであり、（ａ）は画像形成装置の斜視図、（ｂ）は（ａ）の拡大斜視図である。
【００５３】
実施形態に係る画像形成装置１００では、第１発光部材２２１、２２２、２２３、２２４の発光する部位、すなわち導光部材の先端が導光部材の設置面より外側に突出しない位置に配置されている。第１発光部材２２１は、給紙トレイ１３１の前側パネル１３１ａの内側に配置されており、前側パネル１３１ａの第１発光部材２２１の表側には、透明部２８１を備える不透明なデカル２８０が貼り付けられている。このため、第１発光部材２２１の発光面は平面状となる。
【００５４】
なお、発光部材の設置面に、導光部材の発光面の周囲を囲う枠状部材を配置し、この枠状部材の形状を第１発光部材と、第２発光部材とで異ならせることができる。例えば、第１発光部材の枠状部材を平面形状を四角形状とし、第２発光部材の枠状部材の平面形状を楕円形状とする。枠状部材としては、設置面に貼り付けるデカルを使用することができる。
【００５５】
一方、第２発光部材である記録媒体収納部扉発光部材２１４は、図８（ｂ）に示すように、その発光する部位である導光部材の先端に形成した射出部２１４ａを、設置面である記録媒体収納部開閉扉１３７の表面より外側に突出しする立体形状としている。この例では、射出部２１４ａは、両端に球面部を形成した円柱状としている。
【００５６】
第１発光部材２２１の発光面が平面であり、記録媒体収納部扉発光部材２１４の立体形状の対比は明確に区別しやすい。このように、画像形成装置１００の前面で目立つ第１発光部材２２１は、平面状でも問題なく視認されるが、記録媒体収納部扉発光部材２１４は、装置右面に配置され、見えにくい。しかし、記録媒体収納部扉発光部材２１４を立体として、記録媒体収納部開閉扉１３７の表面から飛び出るようにしているので、目立ちやすい。
【００５７】
画像形成装置１００としては、給紙トレイ１３１、１３２、１３３、１３４のうちのいずれかに、第１発光部材の発光を必要としない給紙トレイを備えるものも製造される。高速で画像形成ができる画像形成装置は、画像形成中に記録媒体を補給して連続運転することが想定されている、しかし、使用状態によっては、連続運転を行わず、第１発光部材が給紙トレイの一部で不要とされることがある。この場合には、給紙トレイ１３１、１３２、１３３、１３４のいずれかに第１発光部材２２１、２２２、２２３、２２４を配置しないで、この第１発光部材２２１、２２２、２２３、２２４を配置する箇所に表面部材を貼って目立たなくすることができる。図９は発光部材の表面側に配置する表面部材を示すものであり、（ａ）は第１発光部材を使用する場合、（ｂ）は一部に第１発光部材を使用しない場合を示す斜視図である。
【００５８】
第１発光部材２４０を使用する箇所では、図９（ａ）に示すように、第１発光部材２４０の配置位置２７１に第１発光部材２４０からの光を透過する透明部２８１を備えたデカル２８０を貼り付ける。また、なお、図中符号２８３は給紙段数を記載したデカルを示している。
【００５９】
一方、第１発光部材を使用しない箇所では、図９（ｂ）に示すように、前記第１発光部材の配置位置２７１の孔部２７２が視認できない不透明な素材で形成したデカル２９０を貼り付けることができる。このデカル２９０には給紙段数を、デカル２８３には記録媒体サイズを記載することができる。
【００６０】
次に画像形成装置１００の第１発光部材および第２発光部材の具体例について説明する。第１発光部材２２１、２２２、２２３、２２４、および第２発光部材である引出発光部材２１１、手差し給紙用扉発光部材２１２、パージ部扉発光部材２１３、記録媒体収納部扉発光部材２１４等は、同一のＬＥＤ発光素子と、それぞれの配置箇所に適合した形状の導光部材と、で構成される。すなわち、導光部材は、配置箇所における発光部材の配置スペース、移動状態により適宜その形状が変更される。導光部材は、配置される箇所に応じた形状を備え内部反射により、ＬＥＤ発光素子からの光を射出部から射出する。
【００６１】
配置スペース等の条件が許せば、ＬＥＤ発光素子と導光部材とが接合されて一体として構成される。また、移動する可動部材に導光部材を配置し、装置本体側にＬＥＤ発光素子を固定し、可動部材が閉状態になったとき、ＬＥＤ発光素子と導光部材とが近接あるいは接触して、ＬＥＤ発光素子からの光を導光部材で導光する構成とする。また、ＬＥＤ発光素子の配置方向は、光が表示される面に対してさまざまな姿勢を取ることができる。
【００６２】
ＬＥＤ発光素子の光が、光の表示面に対して直角に射出される場合は、導光部材を直線状とできる。また、ＬＥＤ発光素子の光が、光の表示面に対して角度を射出される場合は、導光部材には反射面を形成する。このように各配置箇所により、導光部材の構成が異なるものとすると、同一のＬＥＤ発光素子を使用していると、配置される箇所において射出される光の明るさが異なることとなる。このため、各部の表示が同一の明るさと認識されるようにＬＥＤ発光素子の明るさや、導光部材の透明度を調整することが好ましい。
【００６３】
ＬＥＤ発光素子と、導光部材とが分離されて配置される場合について説明する。図１０は同画像形成装置の給紙トレイを引き出した状態を示す斜視図、図１１は発光部材の構成例を示す一部断面を含む斜視図である。画像形成装置１００の最上段の給紙トレイ１３１は、例えばＡ４サイズの記録媒体束を２組並べて配置できる。この給紙トレイ１３１では、内部で１組の記録媒体束を給紙し終えた状態で、隣に配置された記録媒体束を自動的に移動させて、給紙を継続する。このため、給紙トレイ１３１は、第１発光部材２２１が発光していても、記録媒体の補給ができる。なお、他の給紙トレイ１３２、１３３、１３４には１組の記録媒体束だけが配置され、第１発光部材２２２、２２３、２２４の発光中には、給紙トレイ１３２、１３３、１３４を引き出して記録媒体を補給することはできない。
【００６４】
給紙トレイ１３１に配置される第１発光部材２２１は、画像形成装置の装置本体１０１に配置されるＬＥＤ発光素子２２１ａと、給紙トレイ１３１側に配置される導光部材２２１ｂとで構成されている。導光部材２２１ｂは、透明な合成樹脂で構成され、光を放射する立体形状の射出部２４１と、給紙トレイ１３１に対して垂直、すなわち水平方向にのびる導光部２４２と、光の反射面２４３とを備える。ＬＥＤ発光素子２２１ａは、導光部２４２に対して約６０度傾斜して、装置本体１０１に取付部材２４４で固定されている。
【００６５】
このＬＥＤ発光素子２２１ａは、給紙トレイ１３１を引き出した状態でも、点灯しており、ＬＥＤ発光素子２２１ａからの光が操作者の目に入射するのを防止する必要がある。このため、実施形態に係る画像形成装置１００では、給紙トレイ１３１が引き出された状態で、ＬＥＤ発光素子２２１ａからの光を減らす光量低減部材として、給紙トレイ１３１の動きに連動するシャッター部材２４５を配置している。シャッター部材２４５は、装置本体１０１に軸２４６で回動可能に配置され、常時スプリング（図示していない）で、ＬＥＤ発光素子２２１ａの光を遮る位置に押されるように配置されている。
【００６６】
給紙トレイ１３１を装置本体１０１から引き出したとき、シャッター部材２４５は、ＬＥＤ発光素子２２１ａを遮り、射出される光を低減させる。一方、給紙トレイ１３１を装置本体１０１に押し込んだとき、シャッター部材２４５は、導光部材２２１ｂで内側に押し込まれ、ＬＥＤ発光素子２２１ａからの光は、ＬＥＤ発光素子２２１ａに入射し、射出部２４１から放出される状態となる。このため、給紙トレイ１３１を引き出した状態でも、ＬＥＤ発光素子２２１ａから光が操作者の目に入射するのを防止できる。
【００６７】
画像形成装置１００では、第２発光部材は、一つの可動部材の操作部材に対して一対一で設けることが望ましい。しかし、配置スペースの制約、コスト面等で、操作部材に対して第２発光部材を一対一で設置できないことがある。この場合、一つの第２発光部材で複数の操作部材を指定するようにする。図１２は、一つの第２発光部材で複数の操作部材の操作を誘導する例を示す斜視図である。この例では引出ユニット１７０内において、一つの第２発光部材２１７を、連続的な操作として関連する２つの操作部材であるレバー２５１、２５２に対応して配置する。
【００６８】
２つのレバー２５１、２５２にはそれぞれ固有の標記のデカルを貼る（例えば番号を記載したデカル）。ここで、レバー２５２はレバー２５１の次に操作されるレバーである。２つのレバー２５１、２５２が離れた位置にある場合には、図１２のように第２発光部材２１７は操作手順が先のレバー２５１に近づけて配置することが好ましい。これにより、ユーザに操作手順通りにレバー操作を行うことを促すことができる。
【００６９】
この場合第２発光部材２１７は次のように発光制御される。第２発光部材２１７は手順が先のレバー２５１を操作しただけでは消えず、次に操作する必要があるレバー２５２を操作が完了したことを検知して消灯するように発光制御される。これにより一つの第２発光部材２１７で、２つのレバー２５１、２５２の操作をユーザに促すことができる。なお、２つのレバー２５１、２５２が近接して配置されている場合には、中間位置に配置することができる。
【００７０】
また、一つの第２発光部材で複数の操作部材の操作を促す別の例を説明する。ここで、扉、引き出し部材等の可動部材には取手等の第１の操作部材が設けられ、この可動部材を開放すると、第１の操作部材の次以降に操作するレバー等の第２、第３の操作部材が表れるものとする。そして、第１の操作部材の近傍には第１の操作部材の操作を促すために上述の第２発光部材が配置されており、さらにこの第２発光部材の近傍には第２、第３の操作部材の位置や固有の番号を示したデカルを貼り付ける。なお、第２、第３の操作部材を示す固有の番号を表記したデカルを用いる際には、第２の操作部材および第３の操作部材にそれぞれ固有の標記のデカルを貼る。
【００７１】
第１の操作部材の近傍に設けられた第２発光部材の最初の発光の際に、ユーザは第２、第３の操作部材の位置や固有の番号を示したデカルを確認しているため、可動部材を開放した後に操作する操作部材の数や操作順序をあらかじめ把握することができる。これにより、第２の操作部材および第３の操作部材にそれぞれ第２発光部材を設けなくても、ユーザに第２の操作部材および第３の操作部材の操作を促すことができる。
なお、可動部材が開放された後は、第１の操作部材の近傍に設けられた第２発光部材は消灯していても良い。
【００７２】
また、ユーザが第２、第３の操作部材に気づかず、第２、第３の操作部材の操作を行わずに可動部材を閉じたとき、再び第２発光部材を発光させることで、第１の操作部材だけでなく別に操作すべき操作部材が残っていることをユーザに認識させることができる。
【００７３】
さらに、記録媒体を取り出すための操作部材が、目視しにくい箇所に配置されている場合がある。この場合、第２発光部材をこの操作部材に近接して配置しても、その発光を確認しにくい。このため、第２発光部材を視認しやすい箇所に配置し、この第２発光部材に隣接して、操作部材に誘導する案内として図表や指示書を表示することができる。案内を配置することにより、一つの第２発光部材で、複数箇所に配置された複数の操作部材を指定することができる。
【００７４】
＜第３実施形態＞
次に本発明の実施形態に係る画像形成システムについて説明する。上述した実施形態２に係る画像形成装置１００に大容量記録媒体供給装置や後処理装置を取付けて、画像形成システムを構成することができる。この場合、記録媒体補給装置や後処理装置に配置された操作部材にも第２発光部材を配置できる。以下、画像形成装置１００に大規模記録媒体補給装置として記録媒体補給装置（ＬＣＴ）１８０を取付けた場合について説明する。図１３は本実施形態に係る画像形成システムの外観を示す斜視図、図１４は同画像形成システムにおける大容量記録媒体供給装置の開閉扉を開いた状態を示す斜視図、図１５は同画像形成システムにおける大容量記録媒体供給装置の拡大斜視図である。
【００７５】
画像形成システム２００は、画像形成装置１００に記録媒体補給装置１８０が接続されて構成されている。記録媒体補給装置１８０には、供給装置記録媒体設置部として、大容量給紙トレイ１８４が配置され、この大容量給紙トレイ１８４から記録媒体が画像形成装置１００に搬送される。ここで、記録媒体補給装置１８０は、画像形成装置１００の装置本体１０１から容易には取り外せない状態で配置されている。このため、画像形成装置１００の記録媒体収納部開閉扉１３７（図１４参照）は、記録媒体補給装置１８０で隠れた状態である。
【００７６】
そこで、画像形成装置１００には、供給装置操作部材である取手部１８２で材開閉可能な正面扉１８１を配置し、操作部材である取手部１８２の近傍に第４発光部材である正面扉発光部材１８３配置している。また、記録媒体は大容量給紙トレイ１８４に格納されている。この大容量給紙トレイ１８４の前側パネル１８４ａには、取手部１８５と、大容量給紙トレイ１８４から記録媒体が供給されていることを示す第３発光部材１８６が配置される。また、大容量給紙トレイ１８４の前側パネル１８４ａには記録媒体補給装置１８０の搬送路において記録媒体が詰まったことを表示する第４発光部材１８７が配置されている。なお、記録媒体補給装置１８０には、記録媒体供給装置本体に残存する記録媒体の有無を検知する供給装置残存記録媒体検知手段（図示していない）が設置されている。
【００７７】
記録媒体補給装置１８０は画像形成装置１００に電気的に接続され、画像形成装置１００の制御下で動作する。これにより、記録媒体補給装置１８０の第３発光部材１８６は、画像形成装置１００の発光制御手段３１０により画像形成装置１００の第１発光部材と同じ発光制御がなされ、記録媒体補給装置１８０の正面扉発光部材１８３および第４発光部材１８７は、画像形成装置１００の第２発光部材と同じ発光制御がなされる。すなわち、正面扉発光部材１８３および第４発光部材１８７は、紙詰まり解消のため操作部材の操作が必要なとき発光するものであり、かつ、第３発光部材と第４発光部材とは異なる状態で発光するものである。例えば発光部の形状、発光色、発光のタイミングを異ならせる。
【００７８】
記録媒体補給装置１８０において、大容量給紙トレイ１８４から給紙が行われているとき、第３発光部材１８６が点灯している。この状態で、紙詰まりが発生した場合には、第４発光部材１８７が第３発光部材１８６とは異なる発光色で点灯する。これにより、記録媒体補給装置１８０内で紙詰まりが発生したことがわかる。
【００７９】
また、画像形成システム２００において、記録媒体収納部１３０の縦搬送路に記録媒体が詰まった場合には以下の処理がなされる。まず、画像形成装置１００の残存記録媒体検知手段３３０で画像形成装置１００の縦搬送路での紙詰まりが検出されると、発光制御手段３１０の制御により記録媒体補給装置１８０の正面扉１８１の取手部１８２の近傍に配置された正面扉発光部材１８３が点滅する。この点滅に従って、正面扉１８１を開くと、この正面扉発光部材１８３が消灯する。次に画像形成装置１００の記録媒体収納部開閉扉１３７の記録媒体収納部扉発光部材２１４が点滅する。記録媒体収納部開閉扉１３７を開いて記録媒体を記録媒体収納部１３０の縦搬送路から取り除いて記録媒体収納部開閉扉１３７を閉じると記録媒体収納部扉発光部材２１４が消灯する。そして、正面扉１８１を閉じて記録媒体の取り出し処理は終了する。
【００８０】
なお、この例では、図１５に示すように、第３発光部材１８６と、第４発光部材である第３発光部材１８６とが同じ前側パネル１８４ａに配置されている。このような場合、第３発光部材１８６と正面扉発光部材１８３とを異なる位置に配置することにより、見誤りを防止できる。また、各発光部材に隣接して、紙詰まりや、記録媒体を表す絵文字を表示することができる。絵文字は印刷、デカル等で表示できる。このような表示は前記実施形態１および実施形態２に係る画像形成装置１００にも適用できる。
【００８１】
この実施形態に係る画像形成システム２００によれば、記録媒体収納部に配置される第３発光部材と記録媒体を取り出すための操作をする操作部材を示す第４発光部材とは異なる発光状態であるので、両者を混同することなく容易に判別することができる。これにより、誤操作を防止することができる。また、第４発光部材の発光で操作すべき操作部材が順次指定されるので、ジャム状態となった記録媒体の取り出しを、誤ることなく簡単に行うことができる。なお、この例では記録媒体補給装置１８０は画像形成装置１００に発光制御されるものとして説明したが、記録媒体補給装置１８０自体が自らの第１発光部材および第２発光部材を制御する発光制御部を備えることができる。
【符号の説明】
【００８２】
１００：画像形成装置
１０１：装置本体
１１０：原稿読取部
１２０：画像形成部
１２１：給紙部開閉扉
１２１ａ、１３６ａ、１３７ａ：取手部（操作部材）
１２３：トナー交換用開閉扉
１３０：記録媒体収納部
１３１、１３２、１３３、１３４：給紙トレイ
１３１ａ、１３２ａ、１３３ａ、１３４ａ：前側パネル
１３１ｂ、１３２ｂ、１３３ｂ、１３４ｂ：取手部
１３５：パージ部
１３６：パージ部開閉扉
１３６ａ：取手部（操作部材）
１３７：記録媒体収納部開閉扉
１３７ａ：取手部（操作部材）
１６０：定着装置
１７０：引出ユニット
１７１：前板部
１７２：引出操作部（操作部材）
１８０：記録媒体補給装置
１８１：正面扉
１８２：取手部（供給装置操作部材）
１８３：正面扉発光部材（第４発光部材）
１８４：大容量給紙トレイ（供給装置記録媒体設置部）
１８４ａ：前側パネル
１８５：取手部
１８６：第３発光部材
１８７：４発光部材
２００：画像形成システム
２１１：引出発光部材（第２発光部材）
２１２：手差し給紙用扉発光部材（第２発光部材）
２１３：パージ部扉発光部材（第２発光部材）
２１４：記録媒体収納部扉発光部材（第２発光部材）
２２１、２２２、２２３、２２４：第１発光部材
２２１ａ：ＬＥＤ発光素子
２２１ｂ：導光部材
３１０：発光制御手段
３２０：補充可能設置部検出手段
３３０：残存記録媒体検知手段
３４０：操作手順決定手段
３５０：記憶手段
３６０：可動部材開閉検知手段
【先行技術文献】
【特許文献】
【００８３】
【特許文献１】特開２０００−１２２３６１公報
【図１】
2014238566.tif 000003
【図２】
2014238566.tif 000004
【図３】
2014238566.tif 000005
【図４】
2014238566.tif 000006
【図５】
2014238566.tif 000007
【図６】
2014238566.tif 000008
【図７】
2014238566.tif 000009
【図８】
2014238566.tif 000010
【図９】
2014238566.tif 000011
【図１０】
2014238566.tif 000012
【図１１】
2014238566.tif 000013
【図１２】
2014238566.tif 000014
【図１３】
2014238566.tif 000015
【図１４】
2014238566.tif 000016
【図１５】
2014238566.tif 000017